(57)【要約】      （修正有）【課題】自動車一般道路運転走行中、交差点右折、左折、曲路通過時における速度超過が原因の交通事故を減少させることが可能な装置を提供する。【解決手段】一般道路自動車運転走行中、減速時や左折右折時に本体内に備えたガイドプレート１２枠内の鉄球１４が転がり鉄球の重さにより上部を支点とするアーム２２を押すことによりアームを回転させ、アームの支点に回転角度と同角度のもうひとつのアーム９を接着固定し連動回転によりアームを本体開口部に到達させそのアームに直角に接着した表示板６、７が開口部から本体外側に表示され、運転者に自制を促し、注意喚起する。【選択図】図４
0003211836.tif 000002
【実用新案登録請求の範囲】
【請求項１】
一般道路自動車運転走行中減速時に一定のレベルを超える急減速になった時、鉄球の移動を回転運動に変換し回転アームに接着した表示板が上昇表示する構造を備えた装置。
【請求項２】
一般道路自動車運転走行中一定のレベルを超える遠心加速度になった時、鉄球の移動を回転運動に変換し回転アームに接着した表示板が上昇表示する構造を備えた装置。
【考案の詳細な説明】
【考案の概要】
【考案が解決しようとする課題】
【０００１】本考案は一般道路自動車運転走行中、交差点右折、左折、曲路通過時における速度超過が原因の交通事故。
【課題を解決するための手段】
【０００２】本考案本体を自動車運転者の視界前部に設置する。一般道路交差点右折、左折，曲路通過時、速度超過により一定のレベルを超えた速度で通過すると表示板の写真、文字が上昇、運転者に自制を促し、注意喚起する。これを繰り返すことで運転者は安全速度の基準を得やすくなり、交差点右折、左折、曲路通過時に、あらかじめ安全速度を選ぶことができ、急減速、速度超過が無くなり速度超過が原因の交通事故は減少する。
【考案の効果】
【０００３】本考案は一般道路自動車運転走行中一定のレベルを超えた急減速、遠心加速度になった時、表示板の写真、文字が上昇し、運転者に自制を促し注意喚起する。従来急減速、遠心加速度により、上昇表示される本考案表示板は無く、これを繰り返すことで運転者は安全速度の基準を得やすくなり、速度超過による事故は減少する。また写真が心理効果を与え、さらに自動運転自動車には無い心ある人間の運転自動車となる。
【図面の簡単な説明】
【０００４】
【図１】  本考案の形状を示した上面図である。
【図２】  本考案の形状を示した右、側面図である。
【図３】  本考案の形状及び表示板位置を示した上面図である。
【図４】  本考案の装置、側面断面図である。
【図５】  本考案水平計の上面図である。
【図６】  本考案水平計の正面図である。
【図７】  本考案の自動車内設置例を示した図である。
【考案を実施するための形態】
【０００５】本考案本体を自動車運転者の視界前部に、切断した設置用、水平調整用マジックテープを使用し水平な駐車場にて水平に設置する。左右の水平は表示板小、のバランスをとる。前後の水平は水平計の針が中央にくるようにマジックテープで調整する。表示板小は交差点右折、左折、曲路通過時に上昇するが、文字は速度注意と減速がある。表示板大は安全運転と前方注意の文字がある。表示板大の隙間には運転者が選ぶ写真をはさむ。
【実施例】
【０００６】以下、添付図面に従って説明する。図１はボックス上面縦１２センチメートル、横１３センチメートルの表示板上昇開口位置１、２、３を示した本体上面図である。左が運転者から見て正面となる。図２は高さ７センチメートル、本体右、側面図である。４は水平計用開口部の位置を示した。【０００７】図３は表示板上昇位置を示し６、７は図４の同番号を上から位置確認ができる。【０００８】図３の７、８は図４の１７速度注意、１８減速が印字された、遠心加速度により上昇する表示板である。右折時、右カーブは左の表示板、左折時、左カーブは右の表示板が上昇する。安全な速度を選ぶことで１８減速まで上昇しない構造で、鉄球１４が移動するガイドレール２５は途中から終点へ向かって狭く設置され、鉄球の移動に負荷が生じるようなっている。【０００９】図４の６表示板は９、２２、２４、１３迄１体であり左側より減速により鉄球が移動しアーム２２を回転させ６が上昇状態を示している。スムースな減速が行われることで完全上昇はしない構造で、鉄球１４が移動するガイドレール２５は途中から終点へ向かって狭く設置され、鉄球の移動に負荷が生じるようになっている。表示板１３は停止時、開口部１５の位置に戻る、１９の安全確認の文字を運転者は確認することになる。【００１０】図３の４は本体設置時に前後の水平を調整する水平確認用開口部である。車内設置時必要であり、また左右の水平は７、８、表示板小のバランスをとることで水平に設置する。【００１１】図３の２３は表示板大６と一体であり同時上昇する。２０には安全運転の文字が印字され制動時期の遅れなど急減速のときに２０迄上昇する。【００１２】図４の２１隙間には絆を深めた人や家族の顔写真等を挟む隙間である。運転者の自制心を起こす心理的効果を与えるものである。【００１３】図７は設置例を示した図である。３０は設置用、水平調整用の切断されたマジックテープである。水平な場所には四隅１セットでよい。
【符号の説明】
【００１４】１    表示板用開口部
２    表示板用開口部
３    表示板用開口部
４    水平計用開口部
５    軸受
６    表示板大、厚さ２ミリメートル樹脂
７    表示板小、厚さ２ミリメートル樹脂
８    表示板小、厚さ２ミリメートル樹脂
９    アームプレート、厚さ２ミリメートル樹脂
１０  回転軸
１１  鉄球飛び出し止
１２  ガイドプレート、厚さ２ミリメートル樹脂
１３  表示板、厚さ２ミリメートル樹脂
１４  鉄球、直径２２ミリメートル
１５  表示板用開口部
１６  ハウジング、厚さ２ミリメートル樹脂
１７  印字部
１８  印字部
１９  印字部
２０  印字部
２１  写真セット用隙間
２２  回転プレート、厚さ２ミリメートル樹脂
２３  表示板
２４  アームプレート、厚さ２ミリメートル樹脂
２５  ガイドレール
２６  水平計目盛り板
２７  水平計指針
２８  水平計本体
２９  錘
３０  設置用、水平調整用マジックテープ
３１  本考案本体、４１０グラム
【図１】
0003211836.tif 000003
【図２】
0003211836.tif 000004
【図３】
0003211836.tif 000005
【図４】
0003211836.tif 000006
【図５】
0003211836.tif 000007
【図６】
0003211836.tif 000008
【図７】
0003211836.tif 000009
【手続補正書】
【提出日】平成29年5月23日(2017.5.23)
【手続補正１】
【補正対象書類名】実用新案登録請求の範囲
【補正対象項目名】全文
【補正方法】変更
【補正の内容】
【実用新案登録請求の範囲】
【請求項１】
本考案は一般道路自動車運転走行中、減速時に本体内に備えたガイドプレート枠内の鉄球が転がり鉄球の重さにより上部を支点とするアームを押すことによりアームを回転させ、アームの支点に回転角度と同角度のもうひとつのアームを接着固定し連動回転によりアームを本体開口部に到達させそのアームに直角に接着した表示板が開口部から本体外側に表示される、加減速により鉄球が前後に転がる動きで二つの表示板を交互に表示可能にしているところを特徴とする構造を備えた装置。
【請求項２】
本考案は一般道路自動車運転走行中、右折左折時、遠心加速度により本体内に備えたガイドプレート枠内の鉄球が転がり鉄球の重さにより上部を支点とするアームを押すことによりアームを回転させ、アームの支点に回転角度と同角度のもうひとつのアームを接着固定し連動回転によりアームを本体開口部に到達させそのアームに直角に接着した表示板が開口部から本体外側に表示される、この構成を左右に備え右折時、左折時のアーム回転動作を鉄球一個で可能にしているところを特徴とする構造を備えた装置。